(57)【特許請求の範囲】
【請求項１】
デスクの集合体に接続自在なデスクトップフレームであって
デスクの上部に立設される支柱と、
前記支柱の上部に設けられ、前記デスクの幅方向及び奥行き方向に他の部材を接続可能な接続部材と、
前記接続部材に接続され、前記デスク上へ配線するケーブルを収容する空間を有する上部配線用梁部材と
を備え、
前記上部配線用梁部材は、離隔して複数配置されるデスクの集合体間に接続される
配線機能を有するデスクトップフレーム。
【請求項２】
前記支柱は、前記ケーブルを収容するカバー部材を備える
請求項１に記載のデスクトップフレーム。
【請求項３】
前記接続部材は、底面に前記ケーブルを挿通させる切欠きを有する
請求項１又は２に記載のデスクトップフレーム。
【請求項４】
前記接続部材又は前記上部配線用梁部材に接続され、上方から垂れ下がる前記ケーブルをデスクトップフレーム上に案内する配線案内板をさらに有する
請求項１から３のいずれか一項に記載のデスクトップフレーム。
【請求項５】
１つの前記デスクに立設される支柱間を連結し、オプション機器を接続可能なオプション接続用梁部材と、
前記上部配線用梁部材及び前記オプション接続用梁部材との間に接続され、内部に前記ケーブルを挿通させることができる梁間柱部材と、
をさらに備える請求項１から４のいずれか一項に記載のデスクトップフレーム。
【請求項６】
請求項１から５のいずれか一項に記載のデスクトップフレームと、
当該デスクトップフレームに接続される、離隔して複数配置されるデスクの集合体と、
を備えるデスクシステム。
【発明の詳細な説明】
【技術分野】
【０００１】
本発明は、デスクトップフレーム及びデスクシステムに関する。
【背景技術】
【０００２】
オフィスや工場、その他の空間において電源ケーブルや通信ケーブル等を配線するため、床下に配線のための空間を設けたり（床下配線）、部屋の上部（天井部分）に水平にラダー（梯子）を据え付けたりすることがある（天井配線）。床下配線の場合は、例えばデスク下部から直接デスクダクト部材に配線を導く。天井配線の場合、上方からの配線を挿通可能なダクト部材を備え、幅方向に連結して拡張可能な作業台や、部屋等の空間を区画するために設けられる屋内用フレーム構造体に配線を挿通する技術も提案されている（例えば、特許文献１〜３）。
【先行技術文献】
【特許文献】
【０００３】
【特許文献１】特開２０１５−４７５６９号公報
【特許文献２】特開２０１４−２４６４７号公報
【特許文献３】特許第４５８２９２４号公報
【発明の概要】
【発明が解決しようとする課題】
【０００４】
部屋の上部（天井部分）からデスク周辺の機器に配線を行う場合、デスク上に接続されるフレーム部材に配線を挿通することで、机上を整理し外観を向上させることができる。しかしながら、デスクを形成する集合体が複数存在する場合、デスクの集合体の各々へ配線を行う必要があったり、部屋の上部からの配線の始点や終点、経路等が限定される場合には配線の露出部分が多くなり、外観上や安全上好ましく無い場合もあった。
【０００５】
本発明は、上記の問題に鑑み、設置環境に係らず、作業空間全体への配線を収容可能なデスクトップフレームを提供することを目的とする。
【課題を解決するための手段】
【０００６】
本発明に係るデスクトップフレームは、デスクの集合体に接続自在であり、デスクの上部に接続され、鉛直上方に立設される支柱と、支柱の上部に設けられ、デスクの幅方向及び奥行き方向に部材を接続可能な接続部材と、接続部材に接続され、デスク上へ配線するケーブルを収容する空間を有する上部配線用梁部材とを備え、上部配線用梁部材は、離隔して複数配置されるデスクの集合体間に接続される事が出来る。
【０００７】
このようにすれば、離隔して配置される連結デスク間をまたいで配線を接続することができるようになる。すなわち、作業空間全体への配線を収容可能なデスクトップフレームを提供することができる。また、作業空間全体への配線を収容することにより、配線を目立たなくすることができると共に、このようなデスクトップフレームを採用すれば、全体として統一した外観のデスクシステムを形成することができるようになる。
【０００８】
また、支柱は、ケーブルを収容するカバー部材を備えるようにしてもよい。カバー部材によってケーブルを収容することにより、支柱内にケーブルを挿通させるような態様よりも、レイアウト変更時等のケーブルの取り回しが容易になる。また、カバーの形状のみを変える事で配線量の増減に簡易に対応する事が可能となる。
【０００９】
また、接続部材は、底面にケーブルを挿通させる切欠きを有するようにしてもよい。接続部材は、支柱と上部配線用梁部材とを連結する部材であり、このような切欠きを設けることにより外観上ケーブルが目立たないようにデスクトップフレーム内に収容することができるようになる。
【００１０】
また、デスクトップフレームは、接続部材又は上部配線用梁部材に接続され、上方から垂れ下がるケーブルをデスクトップフレーム上に案内する配線案内板をさらに有するようにしてもよい。屋内の上部からケーブルをデスクトップフレームに引き込む場合、仮にデスクトップフレームの直上から配線を垂らすことができないときでも、配線案内板によれば、曲げ等の無理な負荷がかからないようにケーブルの伸びる方向をガイドすることができるし、屋内上部の高さに合わせて適宜形状を変える事も可能である。
【００１１】
また、デスクトップフレームは、１つのデスクに立設される支柱間を連結し、オプション機器を接続可能なオプション接続用梁部材と、上部配線用梁部材及びオプション接続用梁部材との間に接続され、内部にケーブルを挿通させることができる梁間柱部材とをさらに備えるようにしてもよい。このような梁間柱部材によれば、支柱の位置に限定されず、より自由に上下方向の配線を通す位置を決めることができるようになる。
【００１２】
また、本発明は、上述したデスクトップフレームと、当該デスクトップフレームに接続される、離隔して複数配置されるデスクの集合体とを備えるデスクシステムとして特定することもできる。
【発明の効果】
【００１３】
本発明によれば、設置環境に係らず、作業空間全体への配線を収容可能なデスクトップフレームを提供することができる。
【図面の簡単な説明】
【００１４】
【図１】図１は、実施形態に係るデスクシステムの斜視図を示す。
【図２】図２は、実施形態に係るデスクシステムの分解斜視図を示す。
【図３】図３は、実施形態に係る連結デスクの分解斜視図を示す。
【図４】図４は、実施形態に係るデスクトップフレームの分解斜視図を示す。
【図５】図５は、支柱とデスクの中間脚との接続を説明するための図である。
【図６】図６は、オプション接続用梁部材とカバー部材との接続を説明するための図である。
【図７】図７は、取付金具とアンダーパネルとの接続を説明するための図である。
【図８】図８は、オプション接続用梁部材と、取付金具との接続を説明するための図である。
【図９】図９は、支柱と、支柱用配線カバーとの接続を説明するための図である。
【図１０】図１０は、支柱と、上部配線用梁部材と、梁接続部材と、端部用配線案内板と、端部カバーとの接続を説明するための図である。
【図１１】図１１は、上部配線用梁部材と梁用配線カバーとの接続を説明するための図である。
【図１２】図１２は、上部配線用梁部材と梁用配線カバーの横断面図である。
【図１３】図１３は、中間用配線案内板の一例を示す斜視図である。
【図１４】図１４は、梁間柱部材の一例を示す斜視図である。
【図１５】図１５は、デスク中間部の支柱４本の上部に設置される連結用梁接続部材を示す斜視図である。
【発明を実施するための形態】
【００１５】
次に、本発明の実施形態について図面に基づいて説明する。なお、以下で説明する実施
形態は本発明を実施するための例示であり、本発明は以下で説明する構成には限定されない。
【００１６】
＜全体構成＞
図１は、実施形態に係るデスクシステムの斜視図である。図２は、実施形態に係るデスクシステムの分解斜視図である。デスクシステム１は、デスクの集合体である連結デスク２と、デスク上にディスプレイや棚等のオプション機器を据え付けるためのデスクトップフレーム３とを含む。
【００１７】
＜連結デスク＞
図３は、実施形態に係る連結デスクの分解斜視図である。連結デスク２は、デスク４を、左右（幅）方向に３つ、前後（奥行き）方向に２つずつ、計６つ連結したデスクの集合体である。図１〜図３では、２つの連結デスクが例示されている。また、本実施形態では、天板４０１とその周囲の部材を便宜上１つのデスクと呼ぶものとする。デスク４は、天板４０１と、エンド脚４０２と、中間脚４０３と、天板下梁部材４０４と、中間受部材４０５と、カバー接続部材４０６と、配線カバー４０７と、脚結合部材４０８と、Ｌ字接続部材４０９とを含み、これらの部材がボルト等で結合され、デスク４を形成する。なお、デスク４の各々については、使用者が位置する方向を前（手前）、その逆を後（奥）と呼び、前後を奥行き方向と呼ぶものとする。また、使用者からデスク４に向かって左右を、それぞれ幅方向と呼ぶものとする。図１〜図３の連結デスク２は、デスク４が左右方向に３つ連結されると共に、デスク４の背面同士が対向するように連結されている。また、左右に隣接する２つのデスク４は、１つの中間脚４０３を共有することによって連結されている。奥行き方向に対向する２つのデスク４は、脚結合部材４０８で結合されたエンド脚４０２及び互いに結合される中間受部材４０５によって連結されている。なお、デスクシステム１に含まれる連結デスク２の数、連結デスク２に含まれるデスク４の数は例示したものには限定されない。
【００１８】
＜デスクトップフレーム＞
図４は、実施形態に係るデスクトップフレームの分解斜視図である。デスクトップフレーム３は、支柱３０１（３０１ａ及び３０２ｂ）と、支柱用配線カバー３０２（３０２ａ及び３０２ｂ）と、上部配線用梁部材３０３と、梁用配線カバー３０４（３０４ａ及び３０４ｂ）と、梁接続部材３０５（３０５ａ及び３０５ｂ）と、配線案内板３０６（３０６ａ及び３０６ｂ）と、端部カバー３０７と、梁間柱部材３０８と、オプション接続用梁部材３０９と、照明機器３１０とを含む。本実施形態に係るデスクトップフレーム３は、デスク４の上部に立設される枠体であり、デスクトップフレーム３には様々なオプション機器を据え付けることができる。例えば、オプション接続用梁部材３０９には、棚や液晶ディスプレイ等（図示せず）のようなオプション機器を接続することができる。また、上部配線用梁部材３０３の底面に、照明機器３１０のようなオプション機器を接続するようにしてもよい。また、本実施形態に係るデスクトップフレーム３は、複数の連結デスク２にまたがって接続することができる。また、デスクトップフレーム３の上部配線用梁部材３０３上、及び支柱３０１と支柱用配線カバー３０２との間には、電源ケーブル等のような配線を通すことができる。すなわち、室内等の空間の鉛直上方からデスクシステム１に引き込まれた配線を、外観上使用者から見える部分を減らしつつ各デスク４まで伸ばすことができるようになっている。
【００１９】
＜支柱＞
図５は、支柱３０１とデスク４の中間脚４０３との接続を説明するための図である。支柱３０１は、支柱本体３０１１と、支柱カバー３０１２とを含む。支柱３０１は、角柱状であり内部が空洞になっている。支柱カバー３０１２は、支柱３０１の下方側面の一部を形成し、支柱本体３０１１と嵌合する。支柱カバー３０１２を外した支柱本体３０１１は
、支柱３０１の底面に設けられたボルト穴３０１１１と、中間脚４０３の上面に設けられたボルト穴４０３１とに、支柱３０１の内側からボルトを螺合させ、支柱３０１と中間脚４０３とを結合することができる。なお、支柱３０１とエンド脚４０２との間の接続関係も同様である。
【００２０】
図４の支柱用配線カバー３０２ａの下端へ伸びる配線は、例えばオプション接続用梁部材３０９に取り付けられる液晶ディスプレイ（図示せず）等のオプション機器に接続される。また、オプション接続用梁部材３０９には、カバー部材を接続し、配線が隠れるようにしてもよい。
【００２１】
＜オプション接続用梁部材とカバー部材＞
図６は、オプション接続用梁部材とカバー部材との接続を説明するための図である。オプション接続用梁部材３０９は、２本の支柱３０１間にボルトで架設される。また、カバー部材３１１は、アンダーパネル３１１１と、取付金具３１１２とを含む。そして、取付金具３１１２は、板ナット３１１３を用いてオプション接続用梁部材３０９と接続される。
【００２２】
図７は、取付金具とアンダーパネルとの接続を説明するための図である。取付金具３１１２は、オプション接続用梁部材３０９と接続される上部と、アンダーパネル３１１１と接続される下部とを有す。上部は、デスク４の幅方向に沿ってオプション接続用梁部材３０９の底面に設けられた溝に挿入される凸部と、凸部に連なり、上述の溝よりも幅が大きく当該溝に挿入することのできないフランジ部とを有する。また、凸部には板ナット３１１３が接続される。下部は、上方に向かって凸になった鉤状の爪３１１６と、点ファスナのメス部３１１５とを有する。また、アンダーパネル３１１１は、爪３１１６と係合してアンダーパネル３１１１を取付金具３１１２に引っ掛けるための角穴３１１７と、点ファスナのオス部３１１４とを有する。そして、取付金具３１１２の爪３１１６にアンダーパネル３１１１の角穴３１１７を引っ掛け、点ファスナのオス部３１１４とメス部３１１５とを接続することにより、アンダーパネル３１１１を取付金具３１１２に取り付けることができる。また、アンダーパネル３１１１の裏側には配線を隠すことができると共に、アンダーパネル３１１１の周囲の隙間からオプション機器等へ配線を伸ばすことができる。
【００２３】
図８は、オプション接続用梁部材３０９と、取付金具３１１２との接続を説明するための図である。オプション接続用梁部材３０９は、その底面に、長手方向に沿って溝３０９１を有している。溝３０９１は、入口部分よりも奥側部分の方が広くなっており、オプション接続用梁部材３０９の横断面視において、溝３０９１の入口部分には、縁３０９２が設けられている。また、板ナット３１１３は、平面視上、角丸の平行四辺形になっている。そして、図８の上段に示すように、板ナット３１１３の対向する２辺間の距離の短い２辺をオプション接続用梁部材３０９の溝３０９１に沿った方向に向けると、板ナット３１１３及び取付金具３１１２の上部の凸部を、溝３０９１に挿入することができる。板ナット３１１３の短い対角線はオプション接続用梁部材３０９の厚みよりも短くなっており、板ナット３１１３を９０度回転させることができ、図８の下段に示すように、板ナット３１１３の対向する２辺間の距離の長い２辺が、オプション接続用梁部材３０９の溝３０９１の縁３０９２に引っかかり、オプション接続用梁部材３０９に取付金具３１１２を吊ることができる。
【００２４】
＜支柱用配線カバー＞
図９は、支柱３０１と、支柱用配線カバー３０２ａとの接続を説明するための図である。支柱用配線カバー３０２ａは、奥行き方向に連結された２つのデスク４に立設される２つの支柱３０１にまたがって取り付けられる。支柱用配線カバー３０２ａは、横断面視において一方に凸になるように屈曲した板状の部材によって形成されている。本実施形態に
係る支柱用配線カバー３０２ａは、横断面視においてＵ字状又はＶ字状としているが、配線量やケーブルに応じて適宜形状を変えてもよい。また、支柱用配線カバー３０２ａは、１本の支柱に取り付けられるようにしてもよい。また、支柱用配線カバー３０２ａは、下方に向けて凸になった鉤状の舌片３０２１を有する。舌片３０２１は、支柱用配線カバー３０２ａの側面に設けられたカバー取付穴３０１１２に掛止される。そして、支柱３０１と支柱用配線カバー３０２ａとの間に形成される空間には、配線を挿通することができる。換言すれば、本実施形態の支柱用配線カバー３０２ａは、その内部に配線を隠すために取り付けられる。すなわち、支柱の内部に配線用の空間を設けることによる支柱の強度低下が生じるようなことはなく、本実施形態に係るデスクトップフレーム３の強度は支柱３０１によって担保されている。また、本実施形態では、支柱用配線カバー３０２ａを取り外すことにより内部の配線がむき出しになるため、配線の接続の変更時等におけるケーブルの取り回しが容易になる。なお、支柱用配線カバーの長さは任意であり、例えば図４に示すように、床面から上部配線用梁部材３０３まで伸びる支柱用配線カバー３０２ｂを用いるようにしてもよい。
【００２５】
＜梁接続部材＞
図１０は、２本の支柱３０１と、上部配線用梁部材３０３と、梁接続部材３０５ａと、端部用配線案内板３０６ａと、端部カバー３０７との接続を説明するための図である。梁接続部材３０５ａは、その底面にボルト穴３０５２を有する。ボルト穴３０５２は、支柱３０１の上端に設けられたボルト穴３０１３と位置を合わせて図示していないボルトを螺合させ、梁接続部材３０５ａと支柱３０１とを結合させることができる。また、梁接続部材３０５ａは、平面視において十字状の部材であり、デスク４の前後方向及び左右方向の四方に向けて、所定の断面形状の部材を挿入することができる挿入口が形成されている。図１０の例では、挿入口には、上部配線用梁部材３０３、端部用配線案内板３０６ａ、又は端部カバー３０７の一端が挿入される。４つの挿入口の各々は、底面３０５４と、底面３０５４から略垂直に立ち上がる２つの側面３０５５と、側面３０５５の上端を底面と略平行に屈曲させた上面３０５６とによって形成される。側面３０５５には、ボルト穴３０５１が設けられている。ボルト穴３０５１は、上部配線用梁部材３０３の側面に設けられた溝、端部用配線案内板３０６ａのボルト穴３０６１、又は端部カバー３０７のボルト穴３０７１と位置を合わせてボルトで接続することができる。また、梁接続部材３０５ａの底面のうち、デスク４の左右方向の両端には、配線を挿通させるための切欠き３０５３が設けられている。梁接続部材３０５ａと支柱３０１とを接続すると、上述した支柱３０１と支柱用配線カバー３０２ａとの間に形成される空間の上部に切欠き３０５３が位置し、梁接続部材３０５ａ上から、支柱３０１と支柱用配線カバー３０２ａとの間に形成される空間へ配線を通すことができる。なお、梁接続部材３０５ａの底面には、切欠きでなく配線を挿通するための孔を設けるようにしてもよい。
【００２６】
＜端部カバー＞
端部カバー３０７は、平面視においてコ字状の部材であり、梁接続部材３０５ａの挿入口を塞ぐための閉塞面３０７３と、その水平方向両端を略垂直に折り曲げて形成された屈曲面３０７２とを有する。屈曲面３０７２にはボルト穴３０７１が設けられており、端部カバー３０７を梁接続部材３０５ａの挿入口に挿入した状態において、梁接続部材の側面３０５５に設けられたボルト穴３０５１と位置合わせしてボルトで連結することができる。
【００２７】
＜端部用配線案内板＞
端部用配線案内板３０６ａは、端部カバー３０７の上部に、配線の伸びる方向をガイドするための案内板３０６２が連設された形状の部材である。案内板３０６２は、上方に向かって開くように斜めに連設されるとともに側壁を備え、上方から垂れ下がる配線をデスクトップフレーム３上に導入することができる。例えば天井に据え付けられたラダーから
デスクトップフレーム３へ配線を導入する場合において、仮にデスクトップフレーム３の直上から配線を垂らすことができないときでも、案内板３０６２によれば、曲げ等の無理な負荷がかからないように配線の伸びる方向をガイドすることができる。
【００２８】
＜上部配線用梁部材＞
図１１は、上部配線用梁部材３０３と梁用配線カバー３０４ａとの接続を説明するための図である。また、図１２は、上部配線用梁部材３０３の横断面図である。上部配線用梁部材３０３は、長手方向に沿って側壁３０３３を有し、内部に配線を収容するための通路３０３４を有するレール状の部材である。また、側壁３０３３及び底面３０３５の外側にはそれぞれ長手方向に沿って側壁溝３０３１及び底面溝３０３２が設けられている。側壁溝３０３１及び底面溝３０３２は、入口部分が狭くなっており、側壁溝３０３１及び底面溝３０３２には、ボルト等を用いて任意の位置に他の部材を接続することができる。例えば、図８に示した板ナット３１１３を用いて、図４に示した照明機器３１０等の部材を接続するようにしてもよい。また、上部配線用梁部材３０３は、２つの梁接続部材３０５の間に接続される。すなわち、上部配線用梁部材３０３は、１つの連結デスク２の上部において、デスク４の幅方向に配線を通すことができるだけでなく、デスク４の幅方向又は奥行き方向に離隔して配置された複数の連結デスク２をまたいで配線を渡すことができる。
【００２９】
＜梁用配線カバー＞
梁用配線カバー３０４ａは、板状の部材であり、上部配線用梁部材３０３の側壁３０３３上に載置される落ち込み防止片３０４１と、上部配線用梁部材３０３の通路３０３４に嵌め込むことができる凸部３０４２とを備える。ここで、上部配線用梁部材３０３の側面や底面の外側には、例えば照明器具等のオプション機器を接続することもできる。このとき、通路３０３４内からオプション機器へ配線を伸ばすこともあるところ、梁用配線カバー３０４ａを上部配線用梁部材３０３に嵌め込むことにより、配線が必要以上に通路３０３４の外に飛び出してこないよう抑えることができる。梁用配線カバー３０４の長手方向の長さは任意であり、図４に示すような比較的短い梁用配線カバー３０４ｂを用いるようにしてもよい。
【００３０】
＜中間用配線案内板＞
図１３は、中間用配線案内板３０６ｂの一例を示す斜視図である。上述した案内板は、梁接続部材３０５だけでなく上部配線用梁部材３０３の任意の位置に設けた方が配線を引き込むうえで都合がよい場合もある。中間用配線案内板３０６ｂは、端部用配線案内板３０６ａと同様の案内板３０６２を備え、案内板３０６２の下端には、鉛直方向に伸びる壁面３０６３が連設されている。また、壁面３０６３には、上部配線用梁部材３０３の側壁溝３０３１の任意の位置にボルトを用いて接続するためのボルト穴３０６１が設けられている。そして、壁面３０６３の下端は、上部配線用梁部材３０３の底面側に略垂直に屈曲している。
【００３１】
＜梁間柱部材＞
図１４は、梁間柱部材３０８の一例を示す斜視図である。オプション接続用梁部材３０９と上部配線用梁部材３０３との間の任意の位置に、図４に示すような梁間柱部材３０８を接続するようにしてもよい。梁間柱部材３０８は、横断面が長方形の筒状の部材であり、内部に配線を挿通させることができる。梁間柱部材３０８は、デスク４の前後方向に対向して配設される壁面３０８１が、デスク４の幅方向に対向して配設される壁面３０８３よりも長くなっている。そして、梁間柱部材３０８の上端においては、対向する２つの壁面３０８１が上部配線用梁部材３０３の側壁を挟むように配置されると共に、壁面３０８１に設けられたボルト穴３０８２を通してボルトを上部配線用梁部材３０３の側壁溝３０３１に螺合させ、上部配線用梁部材３０３と梁間柱部材３０８とを接続することができる。同様に、梁間柱部材３０８の下端においても、ボルトを用いてオプション接続用梁部材
３０９と梁間柱部材３０８とを接続することができる。また、壁面３０８３の上端及び下端には、切欠き３０８４が設けられており、配線を挿通させることができる。なお、梁間柱部材３０８は、図１４の左側に示すように本体とカバーとに分離する構成であってもよい。このようにすれば、レイアウト変更時等において、配線の取り回しが容易になる。
【００３２】
＜梁接続部材の変形例＞
図１５は、梁接続部材３０５ｂと４本の支柱３０１との接続を説明するための図である。梁接続部材３０５ｂは、底面にボルト穴３０５２を４つ有している点で、図１０に示した梁接続部材３０５ａとは異なっている。すなわち、梁接続部材３０５ｂは、前後左右に接続された４つのデスク４に立設される４つの支柱３０１と、ボルトを用いて接続することができる。梁接続部材３０５ａ及び梁接続部材３０５ｂは、接続する支柱の数に応じて適宜選択することができる。なお、より多くの支柱を上端において梁接続部材３０５と接続することにより、デスクトップフレーム３全体としての強度が向上する。
【００３３】
以上、本発明の好適な実施形態を説明したが、本発明に係るデスクトップフレーム及びデスクシステムは図示した構成に限らず、これらの構成要素を自由に組み替えることができる。本発明に係るデスクトップフレームによれば、離隔して配置される複数の連結デスク間にも配線を伸ばすことができると共に、離隔して配置される複数の連結デスク全体を統一的な外観にまとめることができる。また、外観上配線ができるだけ隠れるようにして、オプション機器が配置されるデスク上まで伸ばすことができるため、フレーム状の空間構造体に配線を挿通させるような場合よりも配線が目立たなくなる。また、工場等のように天井の高い空間においては、屋内の上部にラダーを据え付けたり天井からフレーム状の空間構造体を吊り下げるのが困難な場合があるが、本発明のようにデスク上に立設されるデスクトップフレームであれば、設置する空間を選ばずに使用することができる。また、オフィス等の建築条件に係らずフレキシブルに配線をする事が可能となる。
【符号の説明】
【００３４】
１  デスクシステム
２  集合デスク
３  デスクトップフレーム
３０１  支柱
３０２  支柱用配線カバー
３０３  上部配線用梁部材
３０４  梁用配線カバー
３０５  梁接続部材
３０６  配線案内板
３０７  端部カバー
３０８  梁間柱部材
３０９  オプション接続用梁部材
３１０  照明機器
３１１  カバー部材
４  デスク
４０１  天板
４０２  エンド脚
４０３  中間脚
４０４  天板下梁部材
４０５  中間受部材
４０６  カバー接続部材
４０７  配線カバー
４０８  脚結合部材
４０９  Ｌ字接続部材
【図１】
0006611169.tif 000002
【図２】
0006611169.tif 000003
【図３】
0006611169.tif 000004
【図４】
0006611169.tif 000005
【図５】
0006611169.tif 000006
【図６】
0006611169.tif 000007
【図７】
0006611169.tif 000008
【図８】
0006611169.tif 000009
【図９】
0006611169.tif 000010
【図１０】
0006611169.tif 000011
【図１１】
0006611169.tif 000012
【図１２】
0006611169.tif 000013
【図１３】
0006611169.tif 000014
【図１４】
0006611169.tif 000015
【図１５】
0006611169.tif 000016